(57)【要約】      （修正有）【課題】ヘッドフォンスタンドを提供する。【解決手段】本考案に係るヘッドフォンスタンド１は、フレーム体１０と、底板２０とを備える。フレーム体１０は、プラスチック片１１と、プラスチック片１１の一側に設置される第１片体１２と、プラスチック片１１の他側に設置される第２片体１３とを有し、その中、プラスチック片１１を第２片体１３と第１片体１２とにより包覆すると共に、プラスチック片１１と、第１片体１２と、第２片体１３とを折り曲げることにより、フレーム体１０は、中央隆起状を呈し、及び底板２０は、フレーム体１０の２つの端面１００に連結されると共に、フレーム体１０と底板２０とで囲まれる貫通空間２００を形成する。本考案のヘッドフォンスタンド１は、硬質構造ではなく、弾性を有し、かつ軽薄であり、作製が便利であり、かつ作製コストが低いものである。【選択図】図１
0003205853.tif 000002
【実用新案登録請求の範囲】
【請求項１】
フレーム体と、底板とを備えるヘッドフォンスタンドであって、
前記フレーム体は、プラスチック片と、前記プラスチック片の一側に設置される第１片体と、前記プラスチック片の他側に設置される第２片体とを有し、
前記プラスチック片を前記第２片体と前記第１片体とにより包覆すると共に、前記プラスチック片と、前記第１片体と、前記第２片体とを折り曲げることにより、前記フレーム体は、中央隆起状を呈し、
前記底板は、前記フレーム体の２つの端面に連結されると共に、前記フレーム体と前記底板とで囲まれる貫通空間を形成することを特徴とする、ヘッドフォンスタンド。
【請求項２】
前記プラスチック片は、弾性を有することを特徴とする、請求項１に記載のヘッドフォンスタンド。
【請求項３】
前記第１片体と前記第２片体は、布材または皮革からなることを特徴とする、請求項１に記載のヘッドフォンスタンド。
【請求項４】
前記プラスチック片を前記第２片体と前記第１片体とにより包覆すると共に、前記プラスチック片と、前記第１片体と、前記第２片体とをミシン縫合で固定していることを特徴とする、請求項１に記載のヘッドフォンスタンド。
【請求項５】
前記フレーム体をミシン縫合方式で前記底板に固定していることを特徴とする、請求項１に記載のヘッドフォンスタンド。
【請求項６】
前記貫通空間は、上広下狭の形状を呈することを特徴とする、請求項１に記載のヘッドフォンスタンド。
【請求項７】
前記底板の上に設置されると共に、前記貫通空間に位置する収容装置をさらに有することを特徴とする、請求項１に記載のヘッドフォンスタンド。
【考案の詳細な説明】
【技術分野】
【０００１】
本考案は、ヘッドフォンスタンドに係り、特に、弾性を有し、かつ軽薄であり、作製方式が簡単であり、かつコストが低い、ヘッドフォンスタンドに関するものである。
【背景技術】
【０００２】
科学技術の日進月歩の発展に伴って、次々と新しい様々な科学技術製品が発売され、人々がしきりに快適な生活を追求するために、以前にも増して生活環境の快適度に気を遣うようになっているところ、科学技術の改良を通じて一歩一歩と生活品質を高める。生活や仕事上の需要を満たすために、各種の科学技術製品が不断に研究開発され、電子装置（例えば携帯、タブレットやコンピュータなど）の誕生によって多くの人々に幸福感を与える。
【０００３】
而して、各種の電気製品の更新と進歩の速度が非常に速くなる。そのため、スマートフォンやタブレットコンピュータの所有率は、今や１人１台になろうとしており、このようなハンドヘルドモバイル装置がますます普及していると思われ、既に現代生活と切っても切れない関係にある。一般的に、携帯、タブレットやコンピュータなどの電子設備は、いずれも使用者に動画の観賞や音楽の聴取などを提供することができる。また、日常生活において、民衆に動画の観賞と音楽の聴取を可能な場所を多く提供する必要があり、例えばマルチメディア映像を販売する売店では、一般民衆の試聴のために、マルチメディア再生装置を店頭に展示する。なお、例えば学習塾でも、学生に鑑賞学習を提供するために、映像授業やビデオ学習などの課程がある。もし大量の使用者が同時に試聴または鑑賞学習を行う時、こうして各ユーザが聴取するビデオまたは映像は相互に干渉する可能性があり、あるいは、外部の音声による干渉ではっきり聴取することができない。それゆえに、現在、これらの場所において、いずれも使用者にマルチメディア映像をはっきりと聴取と鑑賞するために、耳覆い型ヘッドフォンなどを提供する設備が設けられる。
【０００４】
上記の原因のほか、数多くの閲読者が図書館や自習室など静かな場所にて自習や閲読する時でも、習慣として音楽を聞きながらリラックスして閲読する場合があり、このような状況においては、音楽や音声が他の閲読者に邪魔するのを防止するために、耳覆い型ヘッドフォンやイヤホンなどの装置を用いる必要がある。
【０００５】
しかしながら、ヘッドフォンは、イヤホンのように、容易に小袋などの小さい空間内に収納することができず、耳覆い型ヘッドフォンの構造が比較的に大きく、ヘッドバンドと、ヘッドバンドの両端にそれぞれ備える滑動具と、滑動具に連結される耳当てカップとを有し、耳当てカップは、通常、一般人の耳の大きさを覆う可能なものを必要とし、上記のヘッドバンドと、滑動具と、ヘッドフォン枠とに関しては、いずれも硬質装置であるので、折り曲げて圧縮して収納することができない。もし強引に収納しようとすると、ヘッドフォン構造の損傷を引き起こす可能性があり、現在、市場上では既に複数型式のヘッドフォンを収納するためのヘッドフォンスタンド構造があり、例えば木製のヘッドフォンスタンド、アルミ製のヘッドフォンスタンドやアクリル製のヘッドフォンスタンドなどが挙げられ、また上記のヘッドフォンスタンドの作製方式は、手間がかかるだけでなく、かつ時間もかかることになり、しかも必要とするコストが高くかかるという不都合がある。なお、木製のヘッドフォンスタンドは、高温押出して定形する必要がある。アルミ製のヘッドフォンスタンドは、機械で高温打抜きする作製方式を必要とする。アクリル製のヘッドフォンスタンドは、高温定形する必要がある。以上のような製品は、いずれも一定の重量を有するほか、かついずれも硬質構造であり、たとえばヘッドフォンスタンドが落下して足にけがを負わせてしまう可能性があり、あるいは、乳幼児または児童が遊んでいる時、偶然にヘッドフォンスタンドにぶつかると、けがを負わせる可能性もある。
【０００６】
そのため、従来技術の欠点について改良を行い、その構造が非硬質構造であり、かつ弾性を有し、全体重量が軽薄であり、さらに、作製工程が便利であり、かつかかるコストが比較的に低い、ヘッドフォンスタンドの提供が強く望まれている。
【考案の概要】
【考案が解決しようとする課題】
【０００７】
本考案の主な目的は、その作製が便利であり、かつ作製コストが低い、ヘッドフォンスタンドを提供する。
【０００８】
本考案の次の目的は、その構造が弾性を有し、かつ比較的に軽薄である、ヘッドフォンスタンドを提供する。
【課題を解決するための手段】
【０００９】
本考案が提供するヘッドフォンスタンドは、フレーム体と、底板とを備える。前記フレーム体は、プラスチック片と、第１片体と、第２片体とを有する。前記第１片体は、前記プラスチック片の一側に設置され、前記第２片体は、前記プラスチック片の他側に設置され、その中、前記プラスチック片を前記第２片体と前記第１片体とにより包覆すると共に、前記プラスチック片と、前記第１片体と、前記第２片体とを折り曲げることにより、前記フレーム体は、中央隆起状を呈し、及び前記底板は、前記フレーム体の２つの端面に連結されると共に、前記フレーム体と前記底板とで囲まれる貫通空間を形成する。
【００１０】
本考案が提供する一実施例において、前記プラスチック片は、弾性を有することが開示されている。
【００１１】
本考案が提供する一実施例において、前記第１片体と前記第２片体は、布材または皮革からなることが開示されている。
【００１２】
本考案が提供する一実施例において、前記プラスチック片を前記第２片体と前記第１片体とにより包覆すると共に、前記プラスチック片と、前記第１片体と、前記第２片体とをミシン縫合で固定していることが開示されている。
【００１３】
本考案が提供する一実施例において、前記フレーム体をミシン縫合方式で前記底板に固定していることが開示されている。
【００１４】
本考案が提供する一実施例において、前記貫通空間は、上広下狭の形状を呈することが開示されている。
【００１５】
本考案が提供する一実施例において、前記底板の上に設置されると共に、前記貫通空間に位置する収容装置をさらに有することが開示されている。
【考案の効果】
【００１６】
本考案ヘッドフォンスタンドは、非硬質対象であり、その構造の材質は、弾性を有し、かつ軽薄であり、作製が便利であり、かつ作製コストが低いものである。
【図面の簡単な説明】
【００１７】
【図１】本考案のヘッドフォンスタンドの第１実施例を示す斜視図である。
【図２】本考案のヘッドフォンスタンドの第１実施例を示す側面図である。
【図３Ａ】本考案のヘッドフォンスタンドの作製プロセスを示す図である。
【図３Ｂ】本考案のヘッドフォンスタンドの別の作製プロセスを示す図である。
【図３Ｃ】本考案のヘッドフォンスタンドのさらに別の作製プロセスを示す図である。
【図４】本考案のヘッドフォンスタンドの使用態様図である。
【図５】本考案のヘッドフォンスタンドの第２実施例を示す図である。
【図６Ａ】本考案のヘッドフォンスタンドの第３実施例を示す図である。
【図６Ｂ】本考案のヘッドフォンスタンドの第３実施例の組合せを示す図である。
【図６Ｃ】本考案のヘッドフォンスタンドの第３実施例の使用態様図である。
【考案を実施するための形態】
【００１８】
本考案の技術内容、構造特徴、達成する目的を詳細に説明するため、以下に実施例を挙げ並びに図面を組み合わせて説明する。
【００１９】
図１と図２を参照し、それらの図は本考案のヘッドフォンスタンドの第１実施例の斜視図と側面図である。図示のように、本実施例に係るヘッドフォンスタンド１は、耳覆い型ヘッドフォンを引っ掛けるために用いられると共に、容易に収納して整理しやすくなる。本実施例の前記ヘッドフォンスタンド１の作製方式が簡単であり、かつ作製コストが安価である。さらに、前記ヘッドフォンスタンド１は、非硬質対象であり、それは軟質構造の材質で、弾性を有する。また、前記ヘッドフォンスタンド１の全体構造が軽薄である。
【００２０】
図３Ａ〜図３Ｃを併せて参照し、それらの図は本考案のヘッドフォンスタンドの作製プロセス図と、別の作製プロセス図と、さらに別の作製プロセス図である。図示のように、本実施例のヘッドフォンスタンド１は、フレーム体１０と、底板２０とを備える。前記フレーム体１０は、プラスチック片１１と、第１片体１２と、第２片体１３とを有する。前記プラスチック片１１としては、例えば長条片状であり、かつ材質が軽薄であるＰＥ板などが挙げられる。なお、前記プラスチック片１１は、湾曲凹折れを行うことが可能であるが、回復可能性を有する。即ち、前記プラスチック片１１が外力の作用を受けない時、原状に戻すことができる。また、前記第１片体１２と、前記第２片体１３とも同じく長条片状であり、かつ前記第１片体１２の大きさと、前記第２片体１３の大きさとが同一であるが、上記の両者は、いずれも前記プラスチック片１１よりも大きい。前記第１片体１２と前記第２片体１３は、布材、皮革または任意の柔軟な材質であってもよく、前記ヘッドフォンスタンド１の耳覆い型ヘッドフォンを載置するための表面として機能する。
【００２１】
図３Ａを再び参照し、図示のように、前記第１片体１２を前記プラスチック片１１の一側面に設置し、前記第２片体１３を前記プラスチック片１１の他側面に設置する。その中、前記プラスチック片１１を前記第２片体１３と前記第１片体１２とにより包覆する（図３Ｂ参照）。
【００２２】
図３Ｃを再び参照し、前記プラスチック片１１と、前記第１片体１２と、前記第２片体１３とを折り曲げることにより、前記フレーム体１０は、中央隆起状を呈し、前記第１片体１２を外側面とし、前記第２片体１３を内側面とし、また前記フレーム体１０の２つの端面１００をそれぞれ外側に向けて折り曲げる。前記底板２０を取って前記フレーム体１０の２つの端面１００に連結する（即ち、前記第２片体１３の２つの端面）と共に、前記フレーム体１０と前記底板２０とで囲まれる貫通空間２００を形成する。その中、前記底板２０は、平面硬質板であると共に、前記底板２０の重量を前記フレーム体１０の重量よりも重く設定し、こうして前記ヘッドフォンスタンド１をより堅固に一平面上に置くことができ、前記ヘッドフォンスタンド１の底部基台として機能する。さらに、前記貫通空間２００は、前記フレーム体１０の前後両面を貫通連通するように形成されている。
【００２３】
図４を併せて参照し、その図は本考案のヘッドフォンスタンドの使用態様図である。図示のように、本実施例の前記ヘッドフォンスタンド１は、耳覆い型ヘッドフォン２を引っ掛けるために用いられる。前記ヘッドフォンスタンド１の前記底板２０を一平面に置き、前記耳覆い型ヘッドフォン２を取って前記ヘッドフォンスタンド１に引っ掛ける。前記耳覆い型ヘッドフォン２は、ヘッドバンド２１と、２つの滑動具２２と、２つの耳当てカップ２３とを有し、前記２つの滑動具２２の各一端がそれぞれ前記ヘッドバンド２１の両端に連結され、前記２つの耳当てカップ２３がそれぞれ前記２つの滑動具２２の各他端に連結される。前記ヘッドバンド２１を前記フレーム体１０の中央隆起箇所に当接置きすることで、前記２つの耳当てカップ２３がそれぞれ前記フレーム体１０の両側に位置すると共に、前記２つの滑動具２２が内向き（即ち、前記ヘッドバンド２１の中間方向）に湾曲近接してくると、前記２つの耳当てカップ２３の内側を前記フレーム体１０の両側面に密接させ、こうして前記耳覆い型ヘッドフォン２で前記フレーム体１０を挟持して、耳覆い型ヘッドフォン２を前記フレーム体１０の上に強固に引っ掛けることができる。
【００２４】
本実施例は、従来技術の欠点についてさらなる改良を行い、従来技術において、既に耳覆い型ヘッドフォンスタンドの関連装置があるが、従来のヘッドフォンスタンドの構造が非常に良い構造装置と言えず、例えば木製のヘッドフォンスタンド、アルミ製のヘッドフォンスタンド、硬質プラスチック製のヘッドフォンスタンドやアクリル製のヘッドフォンスタンドなどが挙げられ、その中、木製のヘッドフォンスタンドとしては、木材料を高温押出して定形する必要がある。アルミ製のヘッドフォンスタンドとしては、アルミ材料を機械で高温打抜きする作製方式を必要とする。硬質プラスチック製のヘッドフォンスタンドとしては、まず金型を製造して金型内にプラスチックを注入して分厚いプラスチック枠のフレーム体を射出成形する必要がある。アクリル製のヘッドフォンスタンドとしては、アクリル材質を高温定形する必要がある。以上のようなヘッドフォンスタンドに関連する作製過程は、手間がかかるだけでなく、時間もかかることになり、しかも必要とするコストが高くかかるという不都合がある。なお、ヘッドフォンスタンドの構造については、上記のヘッドフォンスタンドは、いずれも硬質対象であり、かつ重量がより重く、たとえばヘッドフォンスタンドが偶然にぶつかったり、落下したりすると、人体にあたって人にけがを負わせてしまう状況が発生する可能性があり、あるいは、ヘッドフォンスタンドが直接に別の堅硬物体の表面にぶつかると、ヘッドフォンスタンドの破損または断裂などを引き起こす状況が発生する可能性もある。
【００２５】
従って、上記の従来技術の作製方式または構造の欠点に対して、本実施例が提供するヘッドフォンスタンド１の長所は、前記ヘッドフォンスタンド１は、前記第２片体１３と前記第１片体１２とを利用して弾性を有する前記プラスチック片１１を包覆すると共に、前記プラスチック片１１と、前記第１片体１２と、前記第２片体１３とを折り曲げることにより、前記フレーム体１０は、中央隆起状を呈し、それから前記フレーム体１０の前記２つの端面を前記底板２０に固定すると共に、前記プラスチック片１１の弾性と回復可能性の作用により、前記フレーム体１０は、隆起状を持続的に呈する構造であることにある。このようにして、前記耳覆い型ヘッドフォン２を隆起する前記フレーム体１０に引っ掛けることができる。本実施例の前記ヘッドフォンスタンド１は、作製方式が簡単で作製コストが低く、全体構造の材質が軟らかく、かつ弾性を有し、しかも前記ヘッドフォンスタンド１の重量が軽薄であるなど諸多の長所を有する。
【００２６】
図５を併せて参照し、その図は本考案のヘッドフォンスタンドの第２実施例を示す図である。図示のように、本実施例と第１実施例との相違点は、本実施例は、さらに前記プラスチック片１１と、前記第１片体１２と、前記第２片体１３との間の固定方式を定めて、前記第１片体１２と、前記第２片体１３とにより共に前記プラスチック片１１の両側面を包覆した後、それから前記プラスチック片１１と、前記第１片体１２と、前記第２片体１３とをミシン縫合方式で固定しており、図中、鎖線は、ミシン縫合線の線材部分を示す点にある。そして、前記プラスチック片１１と、前記第１片体１２と、前記第２片体１３とを折り曲げて中央隆起状態を呈し（図３Ｃ参照）、前記フレーム体１０の前記２つの端面１００も同じくミシン縫合方式で前記底板２０に固定されている。さらに、前記ヘッドフォンスタンド１を高温で加熱して定形する。このようにして、上記の作製プロセスの後、前記ヘッドフォンスタンド１の構造を定形して使用することができる。
【００２７】
図６Ａ〜図６Ｃを併せて参照し、それらの図は本考案のヘッドフォンスタンドの第３実施例の態様図と、第３実施例の組合せ態様図と、第３実施例の使用態様図である。図示のように、本実施例の前記ヘッドフォンスタンド１は、収容装置３０をさらに有する。前記収容装置３０は、前記底板２０の上に設置されると共に、前記貫通空間２００に位置する。図６Ｂを再び参照し、本実施例において、前記収容装置３０は、組み付けと取り外しが自在にできる構造であり、前記収容装置３０は、収容溝３００を有し、また前記収容装置３０を前記底板２０の上に置くと共に、前記フレーム体１０の両側の内側面により前記収容装置３０を挟むことで、前記収容装置３０が前記貫通空間２００内に挟着される。図６Ｃを再び参照し、さらに、前記耳覆い型ヘッドフォン２を前記フレーム体２０に引っ掛け、また前記耳覆い型ヘッドフォン２は、音声接続ケーブル２１をさらに有し、前記音声接続ケーブル２１が前記貫通空間２００内に巻装されると共に、前記音声接続ケーブル２１は、前記収容装置３０の前記収容溝３００内に収納される。これ以外、その他の適当な大きさの対象（例えば音声アダプタや音声延長ケーブルなど）を収納するために用いられてもよく、使用方式に限定されず、こうして前記耳覆い型ヘッドフォン２はさらに便利に使用でき、及び前記耳覆い型ヘッドフォン２の補助設備を便利に収納と使用することができる。
【００２８】
上記を総合すると、本考案が提供するヘッドフォンスタンドは、フレーム体と、底板とを備える。前記フレーム体は、プラスチック片と、第１片体と、第２片体とを有する。前記第１片体は、プラスチック片の一側に設置され、前記第２片体は、プラスチック片の他側に設置され、その中、前記プラスチック片を前記第２片体と前記第１片体とにより包覆する共に、前記プラスチック片と、前記第１片体と、前記第２片体とを折り曲げることにより、前記フレーム体は、中央隆起状を呈し、及び前記底板は、前記フレーム体の２つの端面に連結されると共に、前記フレーム体と前記底板とで囲まれる貫通空間を形成する。
【００２９】
前述した本考案の実施形態は本考案を限定するものではなく、よって、本考案により保護される範囲は後述される実用新案登録請求の範囲を基準とする。
【符号の説明】
【００３０】
１              ヘッドフォンスタンド
２              耳覆い型ヘッドフォン
２１            音声接続ケーブル
１０            フレーム体
１００          端面
１１            プラスチック片
１２            第１片体
１３            第２片体
２０            フレーム体
２００          貫通空間
３０            収容装置
３００          収容溝
【図１】
0003205853.tif 000003
【図２】
0003205853.tif 000004
【図３Ａ】
0003205853.tif 000005
【図３Ｂ】
0003205853.tif 000006
【図３Ｃ】
0003205853.tif 000007
【図４】
0003205853.tif 000008
【図５】
0003205853.tif 000009
【図６Ａ】
0003205853.tif 000010
【図６Ｂ】
0003205853.tif 000011
【図６Ｃ】
0003205853.tif 000012